(57)【要約】【課題】小型であり、ショックに強く、ワンタッチ接続が可能で、天地・縦横の使用配置の向きを限定しない、安価である流体の流量インジケータを提供することである。【解決手段】円筒形の外筒管、該外筒管の内部の中央部にテーパー形状のテーパー棒、該テーパー棒を取り巻く円盤形でドーナツ状のフロート、該テーパー棒を支持する支持固定具、一端部が該フロートに固着され他の端が支持固定具に固着されたスプリング及び外筒管の両端にワンタッチ配管接続機構を組み立て構成した流量インジケータである。【選択図】  図１
2004239655.tif 000002
【特許請求の範囲】
【請求項１】
外筒管、該外筒管の内部の中央部にテーパー棒、該テーパー棒を取り巻くドーナツ状のフロート、該テーパー棒を支持する支持固定具及び一端部が該フロートに固着されたスプリングよりなることを特徴とする流量インジケータ。
【請求項２】
前記外筒管の流入口及び／または流出口にワンタッチ配管接続機構を設けたことを特徴とする請求項１記載の流量インジケータ。
【請求項３】
前記テーパー棒が中央部から両端にかけて対称的にテーパー状に細くなる形状であることを特徴とする請求項１または２に記載の流量インジケータ。
【請求項４】
前記スプリングがフロートの両側に固着され、他の両端が支持固定具に固着されていることを特徴とする請求項１〜３のいずれかに記載の流量インジケータ。
【発明の詳細な説明】
【０００１】
【発明の属する技術分野】
本発明は、簡易型の流量計に関する。
【０００２】
【従来技術】
従来より差圧式流量計、ピトー管式流量計、面積式流量計、電磁流量計、超音波流量計、羽根車式流量計、等による流量計が多く提供され使用されている。
【０００３】
【発明が解決しようとする課題】
電気的・電磁的な流量計は、精度がよいものの大型であり、高価なものであり、機械的な流量計は、構造が複雑であり、ショックに弱く、高価なものであり、面積式流量計は、小型であるものの使用方法が縦型使用に限定される、等の問題がある。そこで、小型であり、ショックに強く、ワンタッチ接続が可能で、天地・縦横の使用配置の向きを限定しない、安価であり、問題を解決する流量インジケータを提供することである。
【０００４】
【課題を解決するための手段】
外筒管、該外筒管の内部の中央部にテーパー棒、該テーパー棒を取り巻くドーナツ状のフロート、該テーパー棒を支持する支持固定具及び一端部が該フロートに固着されたスプリングよりなる流量インジケータであり、小型であり、ショックに強く、天地・縦横の使用配置の向きを限定しない、安価である流量インジケータを提供することである。
【０００５】
本発明に係る流量インジケータは、外筒管、該外筒管の内部の中央部にテーパー棒、該テーパー棒を取り巻くドーナツ状のフロート、該テーパー棒を支持する支持固定具及び一端部が該フロートに固着されたスプリングよりなるものである。更に、外筒管の両端の流入口及び／または流出口にワンタッチ配管接続機構を設け、テーパー棒が中央部より両端にかけて対称的にテーパー状に細くなる形状であり、フロートの両面にスプリングが固着され他の両端が支持固定具に固着されている流量インジケータである。
【０００６】
本発明に係る流量インジケータに関して、より詳細な説明を行うが、以下の記載に限定されるものでない。また、一実施態様を示す図においては説明のためにモデル化して示すものである。
【０００７】
流量インジケータの外筒管４は、形状、サイズ、材料、等を特に限定するものでないが、流体の均一な流れを成させるために中空で内面が円柱状の形状であることが好ましく、外径サイズが５０ｍｍ以下特に３０ｍｍ以下であることが好ましく、流量表示状態を示すフロート１を目視認識できる材料が好ましく例えばガラス製、アクリル樹脂製、等であり耐衝撃性に強いアクリル樹脂製が特に好ましい。該外筒管４の表面または内面に流量値を表示するための目盛り９をプリント、ペイント、刻字、刻印、等ですることが好ましい。
【０００８】
流量インジケータのテーパー棒２は、形状、サイズ、材料、等を特に限定するものでないが、形状としては円柱形、多角柱形のテーパー状でありテーパー角が１／８０〜１／１０であることが好ましく１／４０〜３／４０がより好ましく、中央部から両端にかけて対称的にテーパー状に細くなる棒状でありまたは両端から中央部にかけて対称的にテーパー状に細くなる棒状のものである。好ましくは円柱形状で長さ方向の中央部から両端にかけて対称的にテーパー状に細くなる棒状である。材料は、樹脂製、金属製、ガラス製、等が好ましくステンレススチール、アルミニューム、ＰＶＣ、アクリル樹脂、ガラス、等がより好ましい。
【０００９】
流量インジケータのフロート１は、ドーナツ状の形状であり、内輪に前記テーパー棒２を含みスムーズなスライド動作をするものである。材料として樹脂製、金属製、ガラス製、等が好ましく例えばステンレススチール、アルミニューム、ＰＶＣ、アクリル樹脂、ガラス、等である。該フロート１は、前記外筒管の外部より目視可能なように不透明、着色されていることが好ましい。該フロート１は、スプリング７が固着され、該スプリングの他の端部が前記テーパー棒を固定する支持固定具３に固着されている。該フロート１に固着された該スプリング７は、該フロートの片側でもよく両側に固着されてもよく、好ましくは両面に固着され各々他の端部が該支持固定具３に固着されていることである。該スプリング７が隙間Ａ、隙間Ｂ、流体流れ８を流れる流体の流量とバランスして該フロートをフローティングさせ正圧力による流量、負圧力による流量を指示表示する。該スプリングによるバランスのため天地・縦横の配置・使用の制約がない。
【００１０】
流量インジケータの支持固定具３は、前記テーパー棒２及び前記スプリング７を固定、固着するものであり材料、形状、サイズ、等を特に限定するものでない。例えば、金属製、プラスチック製、ガラス製、等であり、流入口／流出口５の近傍に配置され、流体流れ８を障害することなく流体がスムースに該流入口／流出口５に導かれる空洞な部分を有する配置である。該支持固定具３は、前記外筒管４またはワンタッチ配管接続機構６に固定される。
【００１１】
流量インジケータのワンタッチ配管接続機構６は、特に限定するものでなく空圧機器類部品に採用されている機構のものを流入口／流出口５側に配置する。該ワンタッチ配管接続機構６は、前記外筒管４に固定されて該流入口／流出口を両端に形成する。
【００１２】
上述の如き外筒管４、該外筒管の内部の中央部にテーパー棒２、該テーパー棒を取り巻くドーナツ状のフロート１、該テーパー棒を支持する支持固定具３及び一端部が該フロートに固着されたスプリング７、ワンタッチ配管接続機構６、等よりなる流量インジケータは、小型であり、ショックに強く、ワンタッチ接続が可能であり、天地・縦横の配置・使用の向きを限定しなく、安価である。
【００１３】
【実施例】
本発明に係る流量インジケータの一実施例を説明する。本発明に係る流量インジケータが記述の実施例に限定されるものでない。
【００１４】
（実施例１）
図１により説明する。外筒管４として外径２７ｍｍ、内径２５ｍｍ、長さ６０ｍｍのクリアなアクリル樹脂で作製し、該外筒管４に目盛り９としてＨ、Ｍ、Ｌの刻印及びラインを形成し黄色、緑色、赤色の着色した。テーパー棒２として中心部の外径が７ｍｍ、両端部の外径が５ｍｍ、長さ４０ｍｍのアクリル樹脂で作製し、ドーナツ状のフロート１として内径１０ｍｍ、外径２０ｍｍ、平均厚さ６ｍｍである円盤状にアルミニュームで作製し、支持固定具３としてアルミニュームによる外径１６ｍｍの扁平な円盤を作製し、スプリング７として金属製でワイヤ径の中心１３ｍｍの径で作製した。
【００１５】
該フロート１の両側に該スプリング７を接着剤で固定し、該スプリング７付きの該フロート１の内径部を該テーパー棒２に挿通し、該テーパー棒２の両端に該支持固定具３を配置して固定すると共に該スプリング７を該支持固定具３に接着剤により固定し、流入口／流出口５を有するワンタッチ配管接続機構６を該外筒管４の両端に配置、固定して流量インジケータを製作した。
【００１６】
このように製作された流量インジケータは、小型であり、ショックに強く、ワンタッチ接続が可能で、天地・縦横の使用配置の向きを限定しなく、安価である。
【００１７】
【発明の効果】
本発明に係る流量インジケータは、外筒管、該外筒管の内部の中央部にテーパー棒、該テーパー棒を取り巻くドーナツ状のフロート、該テーパー棒を支持する支持固定具及び一端部が該フロートに固着されたスプリングよりなり、小型であり、ショックに強く、天地・縦横の使用配置の向きを限定しなく、安価である。
【図面の簡単な説明】
【図１】本発明に係る流量インジケーターの一実施態様を示す図である。（ｂ）は、（ａ）のＧ−Ｇ’断面図である。
【符号の説明】
１  フロート
２  テーパー棒
３  支持固定具
４  外筒管
５  流入口／流出口
６  ワンタッチ配管接続機構
７  スプリング
８  流体流れ
９  目盛り
１１  隙間Ａ
１２  隙間Ｂ
【図１】
2004239655.tif 000003